(57)【特許請求の範囲】
【請求項１】
発呼者に関する情報を発呼者と通話することなく受信可能な電話端末装置における受信回路であって、前記情報を表すＦＳＫ信号を検出してＦＳＫ検出信号を出力すると共に前記ＦＳＫ信号を復調してＦＳＫ復調データを出力するＦＳＫ復調部と、電話回線を介して送信されたＤＴＭＦ信号を検出しＤＴＭＦ検出信号及びＤＴＭＦデータを出力するＤＴＭＦ検出回路と、信号を出力するための第１及び第２の出力端子と、切換信号に応じて前記ＦＳＫ検出信号とＤＴＭＦ検出信号のいずれか一方を選択して前記第１の端子に送出し、且つ、前記ＦＳＫ復調データとＤＴＭＦデータのいずれか一方を選択して前記第２の端子に送出する選択回路とを備えたことを特徴とする電話端末用受信回路。
【請求項２】
前記切換信号が第１レベルのとき前記ＦＳＫ復調回路をイネーブル状態とし且つ前記ＤＴＭＦ検出回路をディスエーブル状態とし、前記切換信号が第２レベルのとき前記ＦＳＫ復調回路をディスエーブル状態とし且つ前記ＤＴＭＦ検出回路をイネーブル状態とすることを特徴とする請求項１記載の電話端末用受信回路。
【請求項３】
電話回線を介して送信された呼出信号を検出するリング検出回路を更に備え、該リング検出回路の検出出力に応じて前記切換信号を切り換えるようにしたことを特徴とする請求項１または２記載の電話端末用受信回路。
【発明の詳細な説明】
【０００１】
【発明の属する技術分野】
本発明は、発呼者と通話することなく、発呼者の電話番号や氏名等の情報を認知可能なサービスに関わり、該サービスを受けるための電話端末用受信回路に関する。
【０００２】
【従来の技術】
現在、米国及びカナダでは、発呼者と通話することなく、発呼者の電話番号や氏名等の情報を知ることができるＣａｌｌｅｒ−ＩＤサービスと呼ばれるサービスが提供されており、これによってイタズラ電話等の予防が可能になっている。このサービスでは、発呼者の電話番号や氏名等の情報を、ＦＳＫ（Ｆｒｅｑｕｅｎｃｙ  Ｓｈｉｆｔ  Ｋｅｙｉｎｇ）信号により電話端末装置に送信するようにしており、  オンフック状態においてこのＦＳＫ信号を送信するオンフックデータ送信方式と、通話中に第三者から別の発呼が有った場合に第三者の情報をＦＳＫ信号により送信するオフフックデータ送信方式の二種類が知られている。
【０００３】
そして、日本国内においても、イタズラ電話等の予防のために、今後同様なサービス（仮称：発信電話番号通知サービス）が開始されることとなった。
このサービスにおいては、まず電話局側の交換機が電話回線の極性を反転し、受信端末起動信号を送出する。端末側がこの起動信号に対し直流ループを形成することにより応答信号を出力すると、交換機は発呼者の電話番号や氏名等の情報を表すＦＳＫ信号を送出する。端末側では直流ループを遮断することにより受信完了信号を送出すると共に、表示器に受信した発呼者の電話番号や氏名等の情報を表示する。交換機は受信完了信号を受け取った後、呼出信号を送出するので端末側ではこれに応じて呼出音が鳴り、被呼者は表示器の表示内容により発呼者を確認し、電話に出るか否かを選択することができる。
【０００４】
従って、このようなサービスを受けるためには、端末側の受信器にＦＳＫ信号を復調するためのＦＳＫ復調部が必要となり、通常、この復調部では、ＦＳＫ信号を検出したことを示すＦＳＫ検出信号と、復調したＦＳＫデータとを出力するようにしている。
【０００５】
【発明が解決しようとする課題】
最近の電話端末のほとんどが留守番電話機能を備えており、この留守番電話においては、戸外から自宅の電話器をコントロールするためにＤＴＭＦ信号を用いている。従って、電話端末にはＤＴＭＦ信号を検出するＤＴＭＦ検出部が必要となり、通常、ＤＴＭＦ検出部は、ＤＴＭＦ信号を検出したことを示すＤＴＭＦ検出信号と、検出したＤＴＭＦデータを出力する。
【０００６】
このような留守番電話機能を備えた電話端末において、上述した発信電話番号通知サービスを受けるためには、電話端末側の受信回路にＤＴＭＦ検出部の他にＦＳＫ復調部をも設けなければならない。しかしながら、これらの各回路からの出力信号を各々独立した出力端子から出力するようにすると、その端子数が多くなりすぎるという問題がある。
【０００７】
【課題を解決するための手段】
本発明は、発呼者に関する情報を発呼者と通話することなく受信可能な電話端末装置における受信回路であって、前記情報を表すＦＳＫ信号を検出してＦＳＫ検出信号を出力すると共に前記ＦＳＫ信号を復調してＦＳＫ復調データを出力するＦＳＫ復調部と、電話回線を介して送信されたＤＴＭＦ信号を検出しＤＴＭＦ検出信号及びＤＴＭＦデータを出力するＤＴＭＦ検出回路と、信号を出力するための第１及び第２の出力端子と、切換信号に応じて前記ＦＳＫ検出信号とＤＴＭＦ検出信号のいずれか一方を選択して前記第１の端子に送出し、且つ、前記ＦＳＫ復調データとＤＴＭＦデータのいずれか一方を選択して前記第２の端子に送出する選択回路とを備えたことを特徴とする。
【０００８】
また、本発明では、前記切換信号が第１レベルのとき前記ＦＳＫ復調回路をイネーブル状態とし且つ前記ＤＴＭＦ検出回路をディスエーブル状態とし、前記切換信号が第２レベルのとき前記ＦＳＫ復調回路をディスエーブル状態とし且つ前記ＤＴＭＦ検出回路をイネーブル状態とすることを特徴とする。
また、本発明では、電話回線を介して送信された呼出信号を検出するリング検出回路を更に備え、該リング検出回路の検出出力に応じて前記切換信号を切り換えるようにしたことを特徴とする。
【０００９】
本発明では、ＦＳＫ検出信号とＤＴＭＦ検出信号を出力する端子、及び、ＦＳＫ復調データとＤＴＭＦデータを出力する端子を兼用したので端子数が減少し、しかも、発信電話番号通知サービスでは、呼出信号の入力前にＦＳＫ信号が入力され、留守番電話機能においては呼出信号が入力後にＤＴＭＦ信号が入力されるので、ＦＳＫ復調部とＤＴＭＦ検出部の出力が同時に出力されることはなく、端子を兼用しても不具合は生じない。
【００１０】
【発明の実施の形態】
図１は、本発明の実施形態を示すブロック図であり、受信回路としてのＬＳＩ１と制御用のマイコン２を含む電話端末装置全体の構成を示している。
まず、公衆回線３にはダイオードブリッジ回路４が接続され、その出力側にフックスイッチ５が接続されている。フックスイッチ５は、受話器の操作に対応して切換が行われるスイッチであり、受話器を置いたオンフック状態で接点がａ側に、受話器を持ち上げたオフフック状態で接点がｂ側に切り換えられる。
【００１１】
ダイオードブリッジ回路４の出力側は、リング信号により動作して呼出音を鳴らすリング回路６が接続され、更に、抵抗及びコンデンサを介してＬＳＩ１内のリング検出回路２２に接続されており、ここで、検出されたリング検出信号ＲＩＮＧが出力端子２３を介してマイコン２に入力される。また、ダイオードブリッジ回路４の出力側にはトランジスタ７を介して、マイクロフォン８０１及びスピーカ８０２が結合されたスピーチネットワーク８が接続され、トランジスタ７のゲートと接地間に他のトランジスタ９のエミッタコレクタ路が接続されている。
【００１２】
フックスイッチ５は、トランジスタ９のゲートとダイオードブリッジ回路４の出力との間に接続されており、フックスイッチ５に連動して切換が行われる連動スイッチ１０が設けられている。そしてこの連動スイッチを介して、オンフック状態のときは「０」、オフフック状態のときは「１」となるフック信号ＨＯＯＫが、マイコン２に入力される。
【００１３】
一方、マイコン２からは、フック信号ＨＯＯＫに応じて「０」のときは「０」、「１」のときは「１」のフックスイッチ信号ＯＮ／ＯＦＦ−ＨＯＯＫを出力し、この信号はトランジスタ９のゲートに制御信号として入力される。マイコン２には、スピーカボタン１１及び留守番電話ボタン２４が接続されており、留守番電話ボタン２４が操作されることにより留守番電話状態になっているときに、マイコンがリング検出信号を入力したとき、あるいは、スピーカボタン１１が操作されたときも、フックスイッチ信号ＯＮ／ＯＦＦ−ＨＯＯＫは、トランジスタ９及び７がオンするように「１」となる。
【００１４】
ところで、スピーチネットワーク８の出力には、ＬＳＩ１内のバッファが接続され、このバッファ１２の出力が第１選択回路１３を介して、ＦＳＫ復調部１４及びＤＴＭＦ検出部１５に接続されている。ＦＳＫ復調部１４は、発呼者の情報を示すＦＳＫ信号を入力し、ＦＳＫ信号のキャリア成分によりＦＳＫ信号の有無を検出して検出信号ＣＡＲＲＩＥＲを出力し、且つ、ＦＳＫ信号を復調して復調データＦＳＫ−ＤＡＴＡを出力する。一方、ＤＴＭＦ検出部１５は、ＤＴＭＦ信号を入力してその有無を示すＤＴＭＦ−ＯＮと、検出したデータＤＴＭＦ−ＤＡＴＡを出力する。
【００１５】
ＤＴＭＦ検出部１５及びＦＳＫ復調部１４の出力側には、第２選択回路１６が接続され、その第１出力が第１出力端子１７に、第２出力が第２出力端子１８に送出される。この第２選択回路１６では、スイッチ１６０により、ＤＴＭＦ検出部１５からのＤＴＭＦ−ＤＡＴＡとＦＳＫ復調部１４からのＦＳＫ−ＤＡＴＡのいずれか一方が選択されて、第１出力端子１７に送出され、スイッチ１６１により、ＤＴＭＦ検出部１５からのＤＴＭＦ−ＯＮとＦＳＫ復調部１４からのＣＡＲＲＩＥＲのいずれか一方が選択されて、第２出力端子１８に送出される。
【００１６】
これら第１及び第２の出力端子１７，１８から出力された信号は、マイコン２に入力され、ＤＴＭＦ−ＤＡＴＡに応じて所定のコントロールが実行され、ＦＳＫ−ＤＡＴＡに応じてＬＣＤパネル２０で、発呼者の電話番号や氏名等の情報が表示される。また、マイコン２からは、ＬＳＩ１の入力端子１９に切換信号ＦＳＫ／ＤＴＭＦが入力され、この切換信号により、第１及び第２の選択回路１３，１６での選択と、ＦＳＫ復調部１４及びＤＴＭＦ検出部１５のイネーブル／ディスエーブルが制御される。
【００１７】
更に、発信電話番号通知サービスを受けるために、電話回線３にはサービス受信用制御回路２１が設けられている。
以下、本実施形態の動作を詳細に説明するが、最初に、発信電話番号通知サービスを受ける場合について説明する。
この場合、まず、電話局側の交換機が電話回線の極性を反転し、受信端末起動信号を送出する。すると、サービス受信用制御回路２１は、この起動信号に対し直流ループを形成することにより交換機に応答信号を出力すると共に、１レベルの制御信号ＣＮＴをトランジスタ９のゲートに出力する。これにより、トランジスタ９及びトランジスタ７が共にオンし、ダイオードブリッジ回路４の出力がスピーチネットワーク８に接続されることとなる。
【００１８】
この状態では、被呼者は電話がかけられたことを知らないので、受話器を取っておらず、従って、フックスイッチ５の接点はａ側になっており、フック信号ＨＯＯＫは「０」になっている。更に、呼出信号はまだ入力されていないので、リング検出部２２からはリング検出信号ＲＩＮＧは出力されておらず、このため、マイコン２はフックスイッチ信号ＯＮ／ＯＦＦ−ＨＯＯＫ及び切換信号ＦＳＫ／ＤＴＭＦを「０」とする。切換信号ＦＳＫ／ＤＴＭＦが「０」であると、ＤＴＭＦ検出部１５はディスエーブル状態に、ＦＳＫ復調部１４はイネーブル状態になると共に、第１選択回路１３及び第２選択回路１６ではＦＳＫ復調部１４が選択される。より具体的には、第２選択回路１６ではスイッチ１６０によりＦＳＫ−ＤＡＴＡが、スイッチ１６１でＣＡＲＲＩＥＲが選択されて、出力端子１７及び１８と接続される。
【００１９】
交換機は、サービス受信用制御回路２１からの応答信号を受け取ると、発呼者の電話番号や氏名等の情報を表すＦＳＫ信号を送信する。端末側は、送信されたＦＳＫ信号を受信すると、サービス受信用制御回路２１が直流ループを遮断することにより受信完了信号を交換機に送出し、ＦＳＫ信号はトランジスタ７，スピーチネットワーク８，バッファ１２，第１選択回路１３を介して、ＦＳＫ復調部１４に入力される。ＦＳＫ復調部１４では、入力されたＦＳＫ信号を検出して検出信号ＣＡＲＲＩＥＲを出力すると共に、ＦＳＫ信号を復調してＦＳＫ復調データＦＳＫ−ＤＡＴＡを出力する。第２選択回路１６では、検出信号ＣＡＲＲＩＥＲ及びＦＳＫ復調データＦＳＫ−ＤＡＴＡを選択するので、これらの信号が出力端子１７及び１８から各々出力される。
【００２０】
マイコン２は、出力された検出信号ＣＡＲＲＩＥＲ及びＦＳＫ復調データＦＳＫ−ＤＡＴＡに基づき、ＬＣＤパネル２０に受信した発呼者の電話番号や氏名等の情報を表示する。交換機は受信完了信号の受信後所定時間経過後に呼出信号を送出するので、これに応じてリング回路６で呼出音が鳴る。そこで、被呼者はＬＣＤパネル１６に表示された発呼者の情報を通話することなく確認し、電話に出るか否かを選択することができる。
【００２１】
次に、留守番電話機能について説明する。
まず、発呼に基づき呼出信号が入力されると、呼出信号はリング検出部２２で検出され、リング検出信号ＲＩＮＧが出力端子２３を介してマイコン２に送出される。マイコン２は、留守番電話ボタン２４の操作により留守番電話状態になっていると、リング検出信号の入力に応じてフックスイッチ信号ＯＮ／ＯＦＦ−ＨＯＯＫを１レベルとする。このため、トランジスタ９及び７がオンし、ダイオードブリッジ回路４の出力がスピーチネットワーク８に接続される。また、マイコン２は、リング検出信号の入力に応じて切換信号ＦＳＫ／ＤＴＭＦを「１」にするので、ＦＳＫ復調部１４がディスエーブル状態、ＤＴＭＦ検出部１５がイネーブル状態になり、第１及び第２選択回路１３，１６でＤＴＭＦ検出部１５を選択する。
【００２２】
そこで、ＤＴＭＦ信号が電話回線３を介して入力されると、ＤＴＭＦ信号はトランジスタ７，スピーチネットワーク８，バッファ１２，第１選択回路１３を介して、ＤＴＭＦ検出部１５に入力される。ＤＴＭＦ検出部１５では、入力されたＤＴＭＦ信号を検出して検出信号ＤＴＭＦ−ＯＮを出力すると共に、ＤＴＭＦ信号を復調してＤＴＭＦデータＤＴＭＦ−ＤＡＴＡを出力する。第２選択回路１６では、検出信号ＤＴＭＦ−ＯＮ及びＤＴＭＦデータＤＴＭＦ−ＤＡＴＡを選択するので、これらの信号が出力端子１７及び１８から各々出力される。そして、マイコン２は、出力された検出信号ＤＴＭＦ−ＯＮ及びデータＤＴＭＦ−ＤＡＴＡに基づき、所望のコントロールを実行する。
【００２３】
【発明の効果】
本発明によれば、ＦＳＫ検出信号とＤＴＭＦ検出信号の出力端子、さらには、ＦＳＫ復調データとＤＴＭＦデータの出力端子を兼用したので、留守番電話機能と発信電話番号通知サービスを確実に実現しつつ、ＬＳＩ化した場合の端子数を減らすことができる。
【００２４】
更に、切換信号に応じて各回路部分のイネーブル状態を制御するようにしているので、必要な回路部分のみをイネーブルにして電力の消耗を押さえることができる。
【図面の簡単な説明】
【図１】本発明の実施形態を含む電話端末装置全体のブロックである。
【符号の説明】
１    ＬＳＩ
２    マイコン
３    電話回線
５    フックスイッチ
６  リング回路
８    スピーチネットワーク
１３    第１選択回路
１４    ＦＳＫ復調部
１５    ＤＴＭＦ検出部
１６    第２選択回路
１７，１８    出力端子
１９    入力端子
２０    ＬＣＤパネル
２１    サービス受信制御回路
２２    リング検出部
【図１】
0003630809.tif 000002